(57)【要約】  本開示の様々な態様は、条件がドッキーとのドッキングセッションの間、満たされるかどうかを決定することと、条件が満たされるときデータをドッキーに送信することと、を提供する。送信されたデータは、ドッキーのモダリティを制御し得る。ドッキーのモダリティは、ドッキーの１つ以上のコンポーネントの挙動を含み得る。いくつかの構成において、条件は、ドッキングセッションの間ドッキングステーションと通信する周辺デバイスへの既定のユーザ入力を含む。いくつかの構成において、条件は、ドッキングステーションにドッキングされている別のドッキーを含み、送信されたデータは、ドッキーがドッキングステーションを介して排他的に別のドッキーと通信するようにドッキーのモダリティを制御する。さらなる態様、実施形態、および特徴もまた、本明細書に提供される。
2018500832.tif 000002
【特許請求の範囲】
【請求項１】
ドッキーとのワイヤレス通信のためのドッキングステーションで動作可能な方法であって、
条件が前記ドッキーとのドッキングセッションの間、満たされるかどうかを決定することと、
前記条件が満たされるときデータを前記ドッキーに送信することと、ここにおいて、前記送信されたデータは、前記ドッキーのモダリティを制御するように構成され、前記ドッキーの前記モダリティは、前記ドッキーの１つ以上のコンポーネントの挙動を備える、
を備える、方法。
【請求項２】
前記条件は、前記ドッキングセッションの間前記ドッキングステーションと通信する周辺デバイスへの既定のユーザ入力を備える、請求項１に記載の方法。
【請求項３】
前記条件は、ドッキーのしきい値数以上である、前記ドッキングステーションにドッキングされるドッキーの数を備える、請求項１に記載の方法。
【請求項４】
前記条件は、前記ドッキングステーションにドッキングされている別のドッキーを備え、
前記送信されたデータは、前記ドッキーが前記ドッキングステーションを介して排他的に前記別のドッキーと通信するように前記ドッキーの前記モダリティを制御するようにさらに構成される、請求項１に記載の方法。
【請求項５】
前記条件は、前記ドッキングステーションにアクセス可能であるモダリティプロファイルと関連付けられている前記ドッキーの一意の識別子を備え、
前記送信されたデータは、前記モダリティプロファイルにしたがって前記ドッキーの前記モダリティを制御するようにさらに構成される、請求項１に記載の方法。
【請求項６】
前記ドッキングステーションは、環境と関連付けられ、
前記送信されたデータは、前記環境に対応するセッティングにしたがって前記ドッキーの前記モダリティを制御するようにさらに構成される、請求項１に記載の方法。
【請求項７】
前記ドッキングステーションのロケーションと関連付けられるセッティングに基づいて前記ドッキーからのデータを周辺デバイスにルーティングすること、
をさらに備える、請求項１に記載の方法。
【請求項８】
前記送信されたデータは、前記ドッキーの前記１つ以上のコンポーネントが電力消費を節約するように前記ドッキーの前記モダリティを制御するようにさらに構成される、請求項１に記載の方法。
【請求項９】
ドッキーとのワイヤレス通信のための装置であって、
トランシーバと、
メモリと、
前記メモリおよび前記トランシーバに通信可能に結合される少なくとも１つのプロセッサと
を備え、前記少なくとも１つのプロセッサは、
条件が前記ドッキーとのドッキングセッションの間、満たされるかどうかを決定することと、
前記条件が満たされるときデータを前記ドッキーに送信するために前記トランシーバを利用することと、ここにおいて、前記送信されたデータは、前記ドッキーのモダリティを制御するように構成され、前記ドッキーの前記モダリティは、前記ドッキーの１つ以上のコンポーネントの挙動を備える、
を行うように構成される、装置。
【請求項１０】
前記条件は、前記ドッキングセッションの間前記装置と通信する周辺デバイスへの既定のユーザ入力を備える、請求項９に記載の装置。
【請求項１１】
前記条件は、ドッキーのしきい値数以上である、前記装置にドッキングされるドッキーの数を備える、請求項９に記載の装置。
【請求項１２】
前記条件は、前記装置にドッキングされている別のドッキーを備え、
前記送信されたデータは、前記ドッキーが前記装置を介して排他的に前記別のドッキーと通信するように前記ドッキーの前記モダリティを制御するようにさらに構成される、請求項９に記載の装置。
【請求項１３】
前記条件は、前記装置にアクセス可能であるモダリティプロファイルと関連付けられている前記ドッキーの一意の識別子を備え、
前記送信されたデータは、前記モダリティプロファイルにしたがって前記ドッキーの前記モダリティを制御するようにさらに構成される、請求項９に記載の装置。
【請求項１４】
前記装置は、環境と関連付けられ、
前記送信されたデータは、前記環境に対応するセッティングにしたがって前記ドッキーの前記モダリティを制御するようにさらに構成される、請求項９に記載の装置。
【請求項１５】
前記少なくとも１つのプロセッサは、
前記装置のロケーションと関連付けられるセッティングに基づいて前記ドッキーからのデータを周辺デバイスにルーティングするようにさらに構成される、請求項９に記載の装置。
【請求項１６】
前記送信されたデータは、前記ドッキーの前記１つ以上のコンポーネントが電力消費を節約するように前記ドッキーの前記モダリティを制御するようにさらに構成される、請求項９に記載の装置。
【請求項１７】
ドッキーとのワイヤレス通信のための装置であって、
条件が前記ドッキーとのドッキングセッションの間、満たされるかどうかを決定するための手段と、
前記条件が満たされるときデータを前記ドッキーに送信するための手段と、ここにおいて、前記送信されたデータは、前記ドッキーのモダリティを制御するように構成され、前記ドッキーの前記モダリティは、前記ドッキーの１つ以上のコンポーネントの挙動を備える、
を備える、装置。
【請求項１８】
前記条件は、前記ドッキングセッションの間、前記装置と通信する周辺デバイスへの既定のユーザ入力を備える、請求項１７に記載の装置。
【請求項１９】
前記条件は、ドッキーのしきい値数以上である、前記装置にドッキングされるドッキーの数を備える、請求項１７に記載の装置。
【請求項２０】
前記条件は、前記装置にドッキングされている別のドッキーを備え、
前記送信されたデータは、前記ドッキーが前記装置を介して排他的に前記別のドッキーと通信するように前記ドッキーの前記モダリティを制御するようにさらに構成される、請求項１７に記載の装置。
【請求項２１】
前記条件は、前記装置にアクセス可能であるモダリティプロファイルと関連付けられている前記ドッキーの一意の識別子を備え、
前記送信されたデータは、前記モダリティプロファイルにしたがって前記ドッキーの前記モダリティを制御するようにさらに構成される、請求項１７に記載の装置。
【請求項２２】
前記装置は、環境と関連付けられ、
前記送信されたデータは、前記環境に対応するセッティングにしたがって前記ドッキーの前記モダリティを制御するようにさらに構成される、請求項１７に記載の装置。
【請求項２３】
前記装置のロケーションと関連付けられるセッティングに基づいて前記ドッキーからのデータを周辺デバイスにルーティングするための手段、
をさらに備える、請求項１７に記載の装置。
【請求項２４】
装置のコンピュータ読み取り可能な媒体であって、
条件がドッキーとのドッキングセッションの間、満たされるかどうかを決定することと、
前記条件が満たされるときデータを前記ドッキーに送信することと、ここにおいて、前記送信されたデータは、前記ドッキーのモダリティを制御するように構成され、前記ドッキーの前記モダリティは、前記ドッキーの１つ以上のコンポーネントの挙動を備える、
のために構成されるコンピュータ実行可能なコードを備える、コンピュータ読み取り可能な媒体。
【請求項２５】
前記条件は、前記ドッキングセッションの間、前記装置と通信する周辺デバイスへの既定のユーザ入力を備える、請求項２４に記載のコンピュータ読み取り可能な媒体。
【請求項２６】
前記条件は、ドッキーのしきい値数以上である、前記装置にドッキングされるドッキーの数を備える、請求項２４に記載のコンピュータ読み取り可能な媒体。
【請求項２７】
前記条件は、前記装置にドッキングされている別のドッキーを備え、
前記送信されたデータは、前記ドッキーが前記装置を介して排他的に前記別のドッキーと通信するように前記ドッキーの前記モダリティを制御するようにさらに構成される、請求項２４に記載のコンピュータ読み取り可能な媒体。
【請求項２８】
前記条件は、前記装置にアクセス可能であるモダリティプロファイルと関連付けられている前記ドッキーの一意の識別子を備え、
前記送信されたデータは、前記モダリティプロファイルにしたがって前記ドッキーの前記モダリティを制御するようにさらに構成される、請求項２４に記載のコンピュータ読み取り可能な媒体。
【請求項２９】
前記装置は、環境と関連付けられ、
前記送信されたデータは、前記環境に対応するセッティングにしたがって前記ドッキーの前記モダリティを制御するようにさらに構成される、請求項２４に記載のコンピュータ読み取り可能な媒体。
【請求項３０】
前記コンピュータ実行可能なコードは、
前記装置のロケーションと関連付けられるセッティングに基づいて前記ドッキーからのデータを周辺デバイスにルーティングするためにさらに構成される、請求項２４に記載のコンピュータ読み取り可能な媒体。
【発明の詳細な説明】
【関連出願の相互参照】
【０００１】
[0001]  本願は、そのすべての内容が、参照により本明細書に組み込まれる、２０１４年１２月２３日に米国特許商標庁に出願された非仮特許出願第１４／５８１，９８８号の優先権、およびその利益を主張する。
【技術分野】
【０００２】
[0002]  本開示の態様は、一般的に、ワイヤレスドッキングシステム（wireless docking system）に関し、より具体的には、ワイヤレスドッキングシステムにおいてドッキー（dockee）のモダリティ（modality）を制御することに関する。
【背景技術】
【０００３】
[0003]  ワイヤレス通信ネットワークは、電話（telephony）、ビデオ、データ、メッセージング、ブロードキャスト、等のような様々な通信サービスを提供するために広く展開されている。最近の関心は、ワイヤレスローカルエリアネットワーク（ＷＬＡＮ：wireless local area network）接続に向けられ、ここでドッキー、例えばセルラ電話のようなモバイルデバイス、は、１つ以上の周辺デバイス（peripheral device）とのワイヤレス通信リンクを確立するためにＷＬＡＮインタフェースを利用することができる。周辺デバイスは、マウス、キーボード、ディスプレイ、プリンタ、カメラ、スピーカ、大容量記憶デバイス、メディアサーバ、センサ、および様々な他のデバイスのような様々なタイプのデバイスを含むことができる。
【０００４】
[0004]  別のデバイスにドッキング（docking）する能力があるデバイスは、ドッキーと称され得る。ドッキーがドッキングするデバイスは、ドッキングステーション（docking station）と称され得る。既存のシステムにおいて、ドッキーは、それがドッキングステーションにドッキングしていることを検出し得る。ドッキーは、それがドッキングステーションにドッキングしていることを検出することに応答してオペレーションを行い得る。例えば、ドッキーは、それがドッキングステーションにドッキングしていることを検出することに応答してそのディスプレイをオフにし得る。しかしながら、既存のシステムにおいて、ドッキングステーションは、ドッキングセッション（docking session）の間ドッキーの挙動（behavior）を制御しない。代わりに、ドッキーは、それがドッキングステーションにドッキングされることを検出し、それに応じて、それ自体の挙動を変更する。
【０００５】
[0005]  しかしながら、そのような構成（configuration）は、様々な制限を有し得る。例えば、会社（company）は、会社の建物内に位置するドッキーのカメラがオフにされることを要求するプライバシーポリシー（privacy policy）を有し得る。そのようなプライバシーポリシーをインプリメントするために、ドッキングステーションは、会社のドッキングステーションにドッキングされるドッキーの挙動を制御する必要があり得る。しかしながら、既存のシステムにおいて、ドッキングステーションは、ドッキングセッションの間ドッキーの挙動を制御しない。したがって、そのような制限を打開する拡張（enhancement）は、ワイヤレスドッキングシステムに様々な改善を提供し得る。
【発明の概要】
【０００６】
[0006]  以下は、そのような態様の基本的な理解を提供するために、本開示の１つ以上の態様の簡略化された概要を提示する。この概要は、本開示のすべての企図される特徴の広範な概観ではなく、本開示のすべての態様のキーまたは重要な要素を識別するようにも、本開示の任意またはすべての態様の範囲を記述する（delineate）ようにも意図されない。その唯一の目的は、後に提示されるより詳細な説明への前置きとして、簡略化された形式で本開示の１つ以上の態様のいくつかの概念を提示することである。
【０００７】
[0007]  本開示の様々な態様は、条件（condition）がドッキーとのドッキングセッションの間、満たされるかどうかを決定することと、条件が満たされるときデータをドッキーに送信することとを提供する。送信されたデータは、ドッキーのモダリティを制御し得る。ドッキーのモダリティは、ドッキーの１つ以上のコンポーネント（component）の挙動を含み得る。いくつかの構成において、条件は、ドッキングセッションの間ドッキングステーションと通信する周辺デバイスへの既定のユーザ入力（predetermined user input）を含む。いくつかの構成において、条件は、ドッキーのしきい値数（threshold number）以上である、ドッキングステーションにドッキングされるドッキーの数を含む。いくつかの構成において、条件は、ドッキングステーションにドッキングされている別のドッキーを含み、送信されたデータは、ドッキーがドッキングステーションを介して排他的に（exclusively）別のドッキーと通信するようにドッキーのモダリティを制御する。いくつかの構成において、条件は、ドッキングステーションにアクセス可能（accessible）であるモダリティプロファイル（modality profile）と関連付けられているドッキーの一意の識別子（unique identifier）を含み、送信されたデータは、モダリティプロファイルにしたがってドッキーのモダリティを制御する。いくつかの構成において、ドッキングステーションは、環境（environment）と関連付けられ、送信されたデータは、環境に対応するセッティング（setting）にしたがってドッキーのモダリティを制御する。いくつかの構成において、本開示は、ドッキングステーションのロケーション（location）と関連付けられるセッティングに基づいてドッキーからのデータを周辺デバイスにルーティング（routing）することを提供する。いくつかの構成において、送信されたデータは、ドッキーの１つ以上のコンポーネントが電力消費（power consumption）を節約する（conserve）ようにドッキーのモダリティを制御する。さらなる態様、実施形態、および特徴もまた、本明細書に提供される。
【０００８】
[0008]  ある態様において、本開示は、条件がドッキーとのドッキングセッションの間、満たされるかどうかを決定することと、条件が満たされるときデータをドッキーに送信することとを含む方法を提供する。送信されたデータは、ドッキーのモダリティを制御し得る。ドッキーのモダリティは、ドッキーの１つ以上のコンポーネントの挙動を含み得る。
【０００９】
[0009]  別の態様において、本開示は、ワイヤレス通信（wireless communication）のための装置（apparatus）を提供する。装置は、トランシーバ（transceiver）と、メモリと、メモリおよびトランシーバに通信可能に結合される少なくとも１つのプロセッサとを含む。少なくとも１つのプロセッサは、条件がドッキーとのドッキングセッションの間、満たされるかどうかを決定することと、条件が満たされるときデータをドッキーに送信するように構成され得る。送信されたデータは、ドッキーのモダリティを制御し得る。ドッキーのモダリティは、ドッキーの１つ以上のコンポーネントの挙動を含み得る。
【００１０】
[0010]  別の態様において、本開示は、ワイヤレス通信のための別の装置を提供する。装置は、条件がドッキーとのドッキングセッションの間、満たされるかどうかを決定するための手段と、条件が満たされるときデータをドッキーに送信するための手段と、を含む。送信されたデータは、ドッキーのモダリティを制御し得る。ドッキーのモダリティは、ドッキーの１つ以上のコンポーネントの挙動を含み得る。
【００１１】
[0011]  別の態様において、本開示は、装置のコンピュータ読み取り可能な媒体（computer-readable medium）を提供する。コンピュータ読み取り可能な媒体は、条件がドッキーとのドッキングセッションの間満たされるかどうかを決定し、条件が満たされるときデータをドッキーに送信するために構成されるコンピュータ実行可能なコード（computer-executable code）を含む。送信されたデータは、ドッキーのモダリティを制御し得る。ドッキーのモダリティは、ドッキーの１つ以上のコンポーネントの挙動を含み得る。
【００１２】
[0012]  本開示のこれらの態様および他の態様は、次に続く詳細な説明のレビューを受けて、より十分に理解されるであろう。本開示の他の態様、特徴、および実施形態は、添付図面と併せて、本開示の具体的な、例示的な実施形態の以下の説明を検討すれば、当業者に明らかになるであろう。本開示の特徴は、以下で特定の実施形態および図面に関連して説明され得るが、本発明のすべての実施形態は、本明細書に説明される有利な特徴のうちの１つ以上を含むことができる。言い換えれば、１つ以上の実施形態は、ある特定の有利な特徴を有するように説明され得るが、そのような特徴のうちの１つ以上はまた、本明細書に説明される開示の様々な実施形態にしたがって使用され得る。同様に、例示的な実施形態は、デバイス、システム、または方法の実施形態として以下に説明され得るが、そのような例示的な実施形態は、様々なデバイス、システム、および方法でインプリメントされることができると理解されるべきである。
【図面の簡単な説明】
【００１３】
【図１】[0013]  図１は、ドッキングステーションのハードウェアインプリメンテーションの例を例示する図である。
【図２】[0014]  図２は、ドッキーの様々なモダリティの例を例示する図である。
【図３】[0015]  図３は、ドッキングステーションにドッキングするドッキーの例を例示する図である。
【図４】[0016]  図４は、ミーティングルーム（meeting room）においてドッキングステーションにドッキングするドッキーの例を例示する図である。
【図５】[0017]  図５は、様々なドッキングステーションと通信するドッキーの例を例示する図である。
【図６】[0018]  図６は、企業環境（enterprise environment）において様々なドッキングステーションと通信するドッキーの例を例示する図である。
【図７】[0019]  図７は、様々な環境と関連付けられるドッキングステーションにドッキングするドッキーの例を例示する図である。
【図８】[0020]  図８は、ホーム環境（home environment）と関連付けられるドッキングステーションにドッキングするドッキーの例を例示する図である。
【図９】[0021]  図９は、ドッキングステーションにドッキングする様々なドッキーの例を例示する図である。
【図１０】[0022]  図１０は、ドッキングステーションの様々な方法および／またはプロセスの例を例示する図である。
【詳細な説明】
【００１４】
[0023]  添付の図面に関連して以下に説明される詳細な説明は、様々な構成の説明として意図されるものであり、本明細書に説明される概念が実現され得る構成だけを表すように意図されるものではない。詳細な説明は、様々な概念の完全な理解を提供する目的で特定の詳細を含む。しかしながら、これらの概念がこれらの特定の詳細なしで実現され得ることは、当業者に明らかであろう。いくつかの事例において、そのような概念を曖昧にすることを避けるために、周知の構造およびコンポーネントは、ブロック図形式で示されている。
【００１５】
[0024]  図１は、本開示の様々な態様にしたがうドッキングステーション１０２のハードウェアインプリメンテーションの例を例示する図１００である。図１００は、ドッキングステーション１０２、ドッキー１５２、および周辺デバイス１６２を例示する。本明細書に提供される説明の様々な部分は、「ドッキングステーション（docking station）」を指し得るが、当業者は、「ドッキングステーション」がドッキー１５２のような、別の装置と通信するように構成される任意の装置であり得ることを理解するであろう。本明細書に提供される説明の様々な部分は、「ドッキー（dockee）」を指し得るが、当業者は、「ドッキー」がドッキングステーション１０２のような、別の装置と通信するように構成される任意の装置であり得ることを理解するであろう。限定ではなく例として、ドッキー１５２は、セルラ電話、スマートフォン、ユーザ機器、タブレットコンピュータ、ラップトップコンピュータ、携帯情報端末（ＰＤＡ：personal digital assistant）、ゲーミングデバイス、電子リーダ（e-reader）、および／またはドッキングステーション１０２のような、別の装置と通信するように構成される任意の他の装置であり得る。本明細書に提供される説明の様々な部分は、「周辺デバイス（peripheral device）」を指し得るが、当業者は、「周辺デバイス」がドッキングステーション１０２のような、別の装置と通信するように構成される任意の装置であり得ることを理解するであろう。限定ではなく例として、周辺デバイス１６２は、キーボード、マウス、ディスプレイ、プロジェクタ、カメラ、センサ、ヘッドセット、ヘッドホンヘッドフォン、または別のドッキーでさえもあり得る。
【００１６】
[0025]  ドッキングステーション１０２は、ユーザインタフェース（user interface）１１２を含み得る。ユーザインタフェース１１２は、ドッキングステーション１０２のユーザからの１つ以上の入力を受信するように構成され得る。ユーザインタフェース１１２はまた、情報（例えば、テキストおよび／または画像）をドッキングステーション１０２のユーザに表示するように構成され得る。ユーザインタフェース１１２は、バスインタフェース１０８を介してデータを交換し得る。
【００１７】
[0026]  ドッキングステーション１０２はまた、トランシーバ１１０を含み得る。トランシーバ１１０は、別の装置（another apparatus）と通信するデータを受信するおよび／またはデータを送信するように構成され得る。トランシーバ１１０は、ワイヤードまたはワイヤレス送信媒体を介して別の装置と通信するための手段を提供する。例えば、トランシーバ１１０は、ドッキー１５２および／または周辺デバイス１６２のような、別の装置および／またはデバイスとのワイヤレスドッキングセッション（wireless docking session）を確立するための手段を提供し得る。トランシーバ１１０は、様々なタイプの技術を使用してそのような通信を行うように構成され得る。当業者は、多くのタイプの技術が本開示の範囲から逸脱することなしにそのような通信を行い得ることを理解するであろう。
【００１８】
[0027]  ドッキングステーション１０２はまた、メモリ１１４、１つ以上のプロセッサ１０４、コンピュータ読み取り可能な媒体１０６、およびバスインタフェース１０８を含み得る。バスインタフェース１０８は、バス１１６とトランシーバ１１０との間にインタフェースを提供し得る。メモリ１１４、１つ以上のプロセッサ１０４、コンピュータ読み取り可能な媒体１０６、およびバスインタフェース１０８は、バス１１６を介してともに接続され得る。
【００１９】
[0028]  プロセッサ１０４は、トランシーバ１１０および／またはメモリ１１４と通信可能に結合され得る。プロセッサ１０４は、ドッキング回路１２０を含み得る。ドッキング回路１２０は、ドッキングステーション１０２へのドッキー１５２のドッキングと関連付けられる様々な態様をイネーブル（enable）するおよび／または様々な機能を行うことができる様々なハードウェアコンポーネント（hardware component）および／またはソフトウェアモジュール（software module）を含み得る。ドッキングセッションを確立するために、ドッキングステーション１０２およびドッキー１５２は、様々なタイプの情報を各々受信および／または送信し得る。例えば、ドッキー１５２は、ドッキングステーション１０２にプローブ要求（probe request）を送信し得る。プローブ要求に応答して、ドッキングステーション１０２は、応答メッセージ（response message）を送信し得る。情報のそのような交換は、ドッキー１５２が、ドッキングステーション１０２を発見することを可能にし得る。ドッキー１５２およびドッキングステーション１０２はまた、様々な認証／アソシエーションの交換（authentication/association exchanges）に従事（engage）し得る。ドッキー１５２およびドッキングステーション１０２は、また、ハンドシェイクプロシージャ（handshake procedure）ならびにチャネル確立プロセス（channel establishment process）に従事し得る。しかしながら、当業者は、上記の限定されない例に説明されたあらゆる特徴が必ずしも要求されるわけではないこと、ならびに代替のおよび／または追加の特徴が本開示の範囲から逸脱することなしにインプリメントされ得ることを理解するであろう。
【００２０】
[0029]  プロセッサ１０４は、また、検出回路（detection circuit）１２１を含み得る。検出回路１２１は、条件がドッキー１５２とのドッキングセッションの間、満たされるかどうかを決定することと関連付けられる様々な態様をイネーブルするおよび／または様々な機能を行うことができる様々なハードウェアコンポーネントおよび／またはソフトウェアモジュールを含み得る。検出回路１２１は、条件がドッキー１５２とのドッキングセッションの間、満たされるかどうかを決定するための手段を提供する。そのような条件の様々な限定されない例は、本開示全体にわたってより詳細に提供される。いくつかの構成において、条件は、ドッキングセッションの間ドッキングステーションと通信する周辺デバイスへの既定のユーザ入力を含む。いくつかの構成において、条件は、ドッキーのしきい値数以上である、ドッキングステーションにドッキングされるドッキーの数を含む。いくつかの構成において、条件は、ドッキングステーションにドッキングされている別のドッキーを含む。いくつかの構成において、条件は、ドッキングステーションにアクセス可能であるモダリティプロファイルと関連付けられているドッキーの一意の識別子を含む。
【００２１】
[0030]  プロセッサ１０４はまた、送信回路１２２を含み得る。送信回路１２２は、様々なデータをドッキー１５２および／または周辺デバイス１６２に送信することと関連付けられる様々な態様をイネーブルするおよび／または様々な機能を行うことができる様々なハードウェアコンポーネントおよび／またはソフトウェアモジュールを含み得る。送信回路１２２は、条件が満たされるときデータをドッキーに送信するための手段を提供する。送信されたデータは、ドッキーのモダリティを制御し得、ドッキーのモダリティは、ドッキーの１つ以上のコンポーネントの挙動を含み得る。いくつかの構成において、送信されたデータは、ドッキーがドッキングステーションを介して排他的に別のドッキーと通信するようにドッキーのモダリティを制御する。いくつかの構成において、送信されたデータは、モダリティプロファイルにしたがってドッキーのモダリティを制御する。いくつかの構成において、送信されたデータは、ドッキーの１つ以上のコンポーネントが電力消費を節約するようにドッキーのモダリティを制御する。
【００２２】
[0031]  プロセッサ１０４はまた、ルーティング回路１２３を含み得る。ルーティング回路１２３は、ドッキー１５２および／または周辺デバイス１６２へのならびに／あるいはドッキー１５２および／または周辺デバイス１６２からのデータをルーティングすることと関連付けられる様々な態様をイネーブルするおよび／または様々な機能を行うことができる様々なハードウェアコンポーネントおよび／またはソフトウェアモジュールを含み得る。いくつかの構成において、ルーティング回路１２３は、ドッキングステーション１０２のロケーションと関連付けられるセッティングに基づいてドッキー１５２からのデータを周辺デバイス１６２にルーティングするための手段を提供する。
【００２３】
[0032]  前述の説明は、ドッキングステーション１０２のプロセッサ１０４の限定されない例を提供する。様々な回路が上記に説明されているが、当業者は、プロセッサ１０４がまた、回路１２０、１２１、１２２、１２３に加わるものである、および／または回路１２０、１２１、１２２、１２３に（１つまたは複数の）変わるものである様々な他の回路１２４を含み得ることを理解するであろう。そのような他の回路１２４は、本明細書に説明される機能、方法、プロセス、特徴、および／または態様のうちの任意の１つ以上を行うための手段を提供し得る。
【００２４】
[0033]  コンピュータ読み取り可能な媒体１０６は、様々な命令を含み得る。命令は、本明細書に説明される様々な態様をイネーブルするおよび／または様々な機能を行うように構成されるコンピュータ実行可能なコードを含み得る。コンピュータ実行可能なコードは、ドッキングステーション１０２の様々なハードウェアコンポーネント（例えば、プロセッサ１０４）によって実行され得る。命令は、様々なソフトウェアプログラムおよび／またはソフトウェアモジュールの一部であり得る。
【００２５】
[0034]  コンピュータ読み取り可能な媒体１０６は、ドッキング命令１４０を含み得る。ドッキング命令１４０は、ドッキングステーション１０２へのドッキー１５２のドッキングと関連付けられる様々な態様をイネーブルするおよび／または様々な機能を行うために構成されるコンピュータ実行可能なコードを含み得る。ドッキングセッションを確立するために、ドッキングステーション１０２およびドッキー１５２は、様々なタイプの情報を各々受信および／または送信し得る。例えば、ドッキー１５２は、ドッキングステーション１０２にプローブ要求を送信し得る。プローブ要求に応答して、ドッキングステーション１０２は、応答メッセージを送信し得る。情報のそのような交換は、ドッキー１５２が、ドッキングステーション１０２を発見することを可能にし得る。ドッキー１５２およびドッキングステーション１０２はまた、様々な認証／アソシエーションの交換に従事し得る。ドッキー１５２およびドッキングステーション１０２はまた、ハンドシェイクプロシージャならびにチャネル確立プロセスに従事し得る。しかしながら、当業者は、上記の限定されない例に説明されたあらゆる特徴が必ずしも要求されるわけではないこと、ならびに代替のおよび／または追加のステップが本開示の範囲から逸脱することなしにインプリメントされ得ることを理解するであろう。
【００２６】
[0035]  コンピュータ読み取り可能な媒体１０６はまた、検出命令（detection instruction）１４１を含み得る。検出命令１４１は、条件がドッキー１５２とのドッキングセッションの間、満たされるかどうかを決定することと関連付けられる様々な態様をイネーブルするおよび／または様々な機能を行うために構成されるコンピュータ実行可能なコードを含み得る。そのような条件の様々な限定されない例は、さらに本開示全体にわたって提供される。いくつかの構成において、条件は、ドッキングセッションの間ドッキングステーションと通信する周辺デバイスへの既定のユーザ入力を含む。いくつかの構成において、条件は、ドッキーのしきい値数以上である、ドッキングステーションにドッキングされるドッキーの数を含む。いくつかの構成において、条件は、ドッキングステーションにドッキングされている別のドッキーを含む。いくつかの構成において、条件は、ドッキングステーションにアクセス可能であるモダリティプロファイルと関連付けられているドッキーの一意の識別子を含む。
【００２７】
[0036]  コンピュータ読み取り可能な媒体１０６はまた、送信命令１４２を含み得る。送信命令１４２は、様々なデータをドッキー１５２および／または周辺デバイス１６２に送信することと関連付けられる様々な態様をイネーブルするおよび／または様々な機能を行うために構成されるコンピュータ実行可能なコードを含み得る。送信されたデータは、ドッキーのモダリティを制御し得、ドッキーのモダリティは、ドッキーの１つ以上のコンポーネントの挙動を含み得る。いくつかの構成において、送信されたデータは、ドッキーがドッキングステーションを介して排他的に別のドッキーと通信するようにドッキーのモダリティを制御する。いくつかの構成において、送信されたデータは、モダリティプロファイルにしたがってドッキーのモダリティを制御する。いくつかの構成において、送信されたデータは、ドッキーの１つ以上のコンポーネントが電力消費を節約するようにドッキーのモダリティを制御する。
【００２８】
[0037]  コンピュータ読み取り可能な媒体１０６はまた、ルーティング命令１４３を含み得る。ルーティング命令１４３は、ドッキー１５２および／または周辺デバイス１６２へのならびに／あるいはドッキー１５２および／または周辺デバイス１６２からのデータをルーティングすることと関連付けられる様々な態様をイネーブルするおよび／または様々な機能を行うために構成されるコンピュータ実行可能なコードを含み得る。例えば、いくつかの構成において、コンピュータ実行可能なコードは、ドッキングステーション１０２のロケーションと関連付けられるセッティングに基づいてドッキー１５２からのデータを周辺デバイス１６２にルーティングするためにさらに構成され得る。
【００２９】
[0038]  前述の説明は、ドッキングステーション１０２のコンピュータ読み取り可能な媒体１０６の限定されない例を提供する。様々な命令（例えば、コンピュータ実行可能なコード）が上記に説明されているが、当業者は、コンピュータ読み取り可能な媒体１０６がまた、命令１４０、１４１、１４２、１４３に加わるものである、および／または、命令１４０、１４１、１４２、１４３に（１つまたは複数の）変わるものである様々な他の命令１４４を含み得ることを理解するであろう。そのような他の命令１４４は、本明細書に説明される機能、方法、プロセス、特徴、および／または態様のうちの任意の１つ以上を行うために構成されるコンピュータ実行可能なコードを含み得る。
【００３０】
[0039]  メモリ１１４は、様々なメモリモジュールを含み得る。メモリモジュールは、プロセッサ１０４またはその回路１２０、１２１、１２２、１２３、１２４のうちのいずれかによって様々な値および／または情報を記憶し、そこから様々な値および／または情報を読み取るように構成され得る。メモリモジュールはまた、コンピュータ読み取り可能な媒体１０６に含まれるコンピュータ実行可能なコードまたはその命令１４０、１４１、１４２、１４３、１４４のうちのいずれかの実行の際、様々な値および／または情報を記憶し、そこから様々な値および／または情報を読み取るように構成され得る。
【００３１】
[0040]  メモリ１１４は、条件パラメータ（condition parameter）１３０を含み得る。条件パラメータ１３０は、本明細書により詳細に説明される条件を特徴付ける機能および／またはパラメータのセットに関連するデータを含み得る。例えば、条件パラメータ１３０は、ドッキングステーション１０２が前述の条件が満たされていることを決定し得る前に満たされなければならないパラメータを示し得る。様々な条件に関連するさらなる説明が、本開示の全体にわたって提供される。
【００３２】
[0041]  メモリ１１４はまた、モダリティパラメータ１３１を含み得る。モダリティパラメータ１３１は、本明細書により詳細に説明されるように、ドッキー１５２のモダリティを特徴付ける機能および／またはパラメータのセットに関連するデータを含み得る。例えば、モダリティパラメータ１３１は、ドッキー１５２の各モダリティを定義するパラメータを示し得る。より具体的には、モダリティパラメータ１３１は、ドッキー１５２の１つ以上のコンポーネントの特定の挙動を定義するパラメータを示し得る。ドッキー１５２のモダリティおよび挙動に関連するさらなる説明が、本開示全体にわたって提供される。
【００３３】
[0042]  当業者はまた、ドッキングステーション１０２が本開示の範囲から逸脱することなしに代替のおよび／またはさらなる特徴を含み得ることを理解するであろう。本開示の様々な態様にしたがって、要素、または要素の任意の一部、または要素の任意の組み合わせは、１つ以上のプロセッサ１０４を含む処理システムを用いてインプリメントされ得る。１つ以上のプロセッサ１０４の例は、マイクロプロセッサ、マイクロコントローラ、デジタルシグナルプロセッサ（ＤＳＰ：digital signal processor）、フィールドプログラマブルゲートアレイ（ＦＰＧＡ：field programmable gate array）、プログラマブル論理デバイス（ＰＬＤ：programmable logic device）、ステートマシン、ゲート論理、ディスクリートハードウェア回路、および本開示全体にわたって説明される様々な機能を行うように構成される他の適切なハードウェアを含む。処理システムは、概してバス１１６およびバスインタフェース１０８によって表される、バスアーキテクチャを用いてインプリメントされ得る。バス１１６は、全体的な設計制約および処理システムの特定のアプリケーションに依存して、任意の数の相互接続するバスおよびブリッジを含み得る。バス１１６は、１つ以上のプロセッサ１０４、メモリ１１４およびコンピュータ読み取り可能な媒体１０６を含む様々な回路とともにリンクし得る。バス１１６はまた、タイミングソース、周辺機器、電圧レギュレータ、および電力管理回路のような様々な他の回路をリンクし得、これらは、当該技術分野において周知である。
【００３４】
[0043]  １つ以上のプロセッサ１０４は、コンピュータ読み取り可能な媒体１０６に記憶されたソフトウェアの実行を含む、一般的な処理およびバス１１６を管理することを担い得る。ソフトウェアは、１つ以上のプロセッサ１０４によって実行されるとき、処理システムに、任意の１つ以上の装置について以下に説明される様々な機能を行わせる。コンピュータ読み取り可能な媒体１０６はまた、ソフトウェアを実行するとき、１つ以上のプロセッサ１０４によって操作されるデータを記憶するために使用され得る。ソフトウェアは、ソフトウェア、ファームウェア、ミドルウェア、マイクロコード、ハードウェア記述言語、または別の名称で称されるかどうかに関わらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるべきである。ソフトウェアは、コンピュータ読み取り可能な媒体１０６に存在し得る。コンピュータ読み取り可能な媒体１０６は、非一時的なコンピュータ読み取り可能な媒体であり得る。非一時的なコンピュータ読み取り可能な媒体は、例として、磁気記憶デバイス（例えば、ハードディスク、フロッピー（登録商標）ディスク、磁気ストリップ）、光学ディスク（例えば、コンパクトディスク（ＣＤ：compact disc）またはデジタル多用途ディスク（ＤＶＤ：digital versatile disc））、スマートカード、フラッシュメモリデバイス（例えば、カード、スティック、またはキードライブ）、ランダムアクセスメモリ（ＲＡＭ：random access memory）、読み取り専用メモリ（ＲＯＭ：read only memory）、プログラマブルＲＯＭ（ＰＲＯＭ：programmable ROM）、消去可能なＰＲＯＭ（ＥＰＲＯＭ：erasable PROM）、電気的に消去可能なＰＲＯＭ（ＥＥＰＲＯＭ（登録商標）：electrically erasable PROM）、レジスタ、リムーバブルディスク、およびコンピュータによってアクセスおよび読み取り可能なソフトウェアおよび／または命令を記憶するための任意の他の適切な媒体を含む。コンピュータ読み取り可能な媒体１０６はまた、例として、コンピュータによってアクセスおよび読み取り可能なソフトウェアおよび／または命令を伝送するための、搬送波、伝送回線、および任意の他の適切な媒体を含み得る。コンピュータ読み取り可能な媒体１０６は、処理システムの内部、処理システムの外部に存在し、または、処理システムを含む複数のエンティティにわたって分散され得る。コンピュータ読み取り可能な媒体１０６は、コンピュータプログラム製品において具体化され得る。限定ではなく例として、コンピュータプログラム製品は、パッケージング材料内のコンピュータ読み取り可能な媒体を含み得る。当業者は、システム全体に課される全体の設計制約および特定のアプリケーションに依存して、本開示全体にわたって提示される説明される機能をどのようにインプリメントするのが最善かを認識するだろう。
【００３５】
[0044]  図２は、ドッキー１５２の様々なモダリティの例を例示する図２００である。図２に例示されている例において、ドッキー１５２は、モバイルデバイス（例えば、スマートフォン）である。モダリティは、ドッキー１５２の一般的な状態、特性、特徴、および／または構成を指し得る。モダリティは、ドッキー１５２の１つ以上のコンポーネントの挙動を含み得る。挙動は、そのようなコンポーネントの特定の動作特性（operational characteristics）、アルゴリズム、値、および／またはセッティングを指し得る。そのようなコンポーネントは、ドッキー１５２の視覚、聴覚、および／または触覚コンポーネントを含み得る。図２に例示されているように、ドッキー１５２は、ディスプレイ２５２を含み得る。ドッキー１５２のモダリティに基づいて、ドッキー１５２は、ディスプレイ２５２上に様々なメッセージ、図形、テキスト、および／または他の情報を表示し得る（または表示することを控え得る）。
【００３６】
[0045]  いくつかの構成において、モダリティは、インターネットへの接続性を容易にするドッキー１５２のコンポーネントの挙動に影響を与え得る。例えば、ドッキー１５２は、アクセスポイント２１０を介してインターネットの接続性のためにアンテナをイネーブルおよび／またはディセーブルし得る。アクセスポイント２１０は、米国電気電子学会（ＩＥＥＥ：Institute of Electrical and Electronic Engineers）８０２．１１の通信プロトコルのような、様々な通信プロトコルにしがってワイヤレスローカルエリアネットワーク（ＷＬＡＮ：wireless local area network）を容易にし得る。そのようなものとして、ドッキー１５２は、アクセスポイント２１０を介してインターネットにアクセスし得る。別の例として、ドッキー１５２は、基地局２１２を介してインターネットの接続性のためにアンテナをイネーブルおよび／またはディセーブルし得る。基地局２１２は、モバイルフォンおよびデータ端末に高速データを提供し得る。例えば、基地局２１２は、ロングタームエボリューション（ＬＴＥ（登録商標）：Long Term Evolution）通信システムの発展型ユニバーサル地上無線アクセス（Ｅ−ＵＴＲＡ：Evolved Universal Terrestrial Radio Access）の発展型ノードＢ（ｅＮＢ：Evolved Node B）であり得る。そのようなものとして、ドッキー１５２は、基地局２１２を介してインターネットにアクセスし得る。いくつかの状況において、ドッキー１５２は、アクセスポイント２１０ならびに基地局２１２の両方を介してインターネットに接続することができ得る。ドッキングステーション１０２にドッキングされるとき、ドッキー１５２は、基地局２１２を介してインターネットの接続性をディセーブルし、アクセスポイント２１０を介してインターネットの接続性をイネーブルするモダリティを利用し得る。そのようなモダリティは、ドッキー１５２が、モバイルデータプランの使用を節約する、電力消費を節約する、および／または増強されたデータアップロード／ダウンロード速度を提供することを可能にし得る。
【００３７】
[0046]  いくつかの構成において、モダリティは、画像および／または映像をキャプチャすることに関係するドッキー１５２のコンポーネントの挙動に影響を与え得る。例えば、ドッキー１５２は、カメラをイネーブルし２１４得、および／またはカメラをディセーブルし２１６得る。カメラは、ドッキー１５２に結合され得る（例えば、「内蔵式（built-in to）」）。カメラは、画像および／または映像をキャプチャするように構成され得る。画像および／または映像は、ドッキー１５２のメモリジュールに記憶され、および／またはドッキー１５２のディスプレイ２５２に示され得る。いくつかの状況において、ドッキー１５２は、秘密の、機密の、および／または内密の情報を包含するエリアに入り得る。そのようなエリアに入ると、ドッキー１５２は、ドッキングステーション１０２にドッキングし得る。ドッキングステーション１０２にドッキングされるとき、ドッキー１５２は、カメラをディセーブルする２１６モダリティを利用し得る。そのようなモダリティは、ドッキー１５２がそのような秘密の、機密の、および／または内密の情報の画像および／または映像をキャプチャするのを妨げ得る。ドッキー１５２がそのようなエリアを出た後、ドッキー１５２は、ドッキングステーション１０２にもはやドッキングされていない可能性がある。ドッキングステーション１０２にもはやドッキングされないとき、ドッキー１５２は、カメラをイネーブルする２１４代替のモダリティ（alternative modality）を利用し得る。
【００３８】
[0047]  いくつかの構成において、モダリティは、スピーカフォンに関連するドッキー１５２のコンポーネントの挙動に影響を与え得る。例えば、ドッキー１５２は、スピーカフォンをイネーブルし得２１８、および／またはスピーカフォンをディセーブルし得る２２０。スピーカフォンは、ユーザから聴覚入力を受信し、および／またはユーザに聴覚出力を提供し得る。そのような聴覚出力は、相対的にうるさい（relatively loud）可能性がある。いくつかの状況において、ドッキー１５２は、図書館のような静かなエリアに入り得る。そのようなエリアに入ると、ドッキー１５２は、ドッキングステーション１０２にドッキングし得る。ドッキングステーション１０２にドッキングされるとき、ドッキー１５２は、スピーカフォン２２０をディセーブルするモダリティを利用し得る。そのようなモダリティは、ドッキー１５２がスピーカフォンの相対的にうるさい聴覚出力を静かなエリア（例えば、図書館）に出すのを妨げ得る。ドッキー１５２がそのようなエリアを出た後、ドッキー１５２は、ドッキングステーション１０２にもはやドッキングされていない可能性がある。ドッキングステーション１０２にもはやドッキングされないとき、ドッキー１５２は、スピーカフォンをイネーブルする２１８代替のモダリティを利用し得る。
【００３９】
[0048]  いくつかの構成において、モダリティは、外部のスピーカのために信号を送信するドッキー１５２のコンポーネントの挙動に影響を与え得る。そのような外部のスピーカは、壁掛け式スピーカ２２２、ヘッドフォンスピーカ２２４、および／またはドッキー１５２の外部に位置する（例えば、「内蔵式（built-in）」でない）任意の他の適切なタイプのスピーカであり得る。ドッキー１５２は、外部のスピーカ（例えば、壁掛け式スピーカ２２２、ヘッドフォンスピーカ２２４、等）と関連付けられるトランシーバと通信し得る。そのような通信は、様々な通信技術（例えば、ＢｌｕｅｔｏｏｔｈＴＭ（登録商標））を使用し得る。ドッキー１５２は、外部のスピーカのための信号の送信をイネーブルおよび／またはディセーブルし得る。いくつかの状況において、ドッキー１５２は、会議室（conference room）に入り得、そこでミーティングが実施され得る。そのようなエリアに入ると、ドッキー１５２は、ドッキングステーション１０２にドッキングし得る。ドッキングステーション１０２にドッキングされるとき、ドッキー１５２は、壁掛け式スピーカ２２２のための信号の送信をイネーブルするモダリティを利用し得る。そのようなモダリティは、ドッキー１５２が、会議室においてミーティングの間オーディオコンテンツを再生するために壁掛け式スピーカ２２２を利用することを可能にし得る。ドッキー１５２がそのようなエリアを出た後、ドッキー１５２は、ドッキングステーション１０２にもはやドッキングされていない可能性がある。ドッキングステーション１０２にもはやドッキングされないとき、ドッキー１５２は、ヘッドフォンスピーカ２２４のための信号の送信をイネーブルする代替のモダリティを利用し得る。そのようなモダリティは、ドッキー１５２が、会議室におけるミーティングの間、再生されることを意図されないオーディオコンテンツを聴くためにヘッドフォンスピーカ２２４を利用することを可能にし得る。
【００４０】
[0049]  いくつかの構成において、モダリティは、バッテリ充電（battery charging）および／または電力消費に関係するドッキー１５２のコンポーネントの挙動に影響を与え得る。ドッキー１５２は、バッテリを含み得る。様々な時（various times）に、バッテリは充電２２６であり得る。様々な他の時に、バッテリは放電２２８であり得る。バッテリは、ワイヤレス充電のような、様々な技法を使用して充電され得る。様々な技法は、ワイヤレス充電を可能にし得る。いくつかの状況において、ドッキー１５２は、ワイヤレス充電ステーション（wireless charging station）を提供するエリア（例えば、オフィスワークスペース（office workspace））に移動され得る。そのようなエリアに入ると、ドッキー１５２は、ドッキングステーション１０２にドッキングし得る。ドッキングステーション１０２にドッキングされるとき、ドッキー１５２は、ワイヤレス充電を使用してバッテリ充電２２６をイネーブルするモダリティを利用し得る。そのようなモダリティは、ドッキー１５２が、バッテリに蓄えられた電力を使用する代わりに電力のためにワイヤレス充電ステーションを利用することを可能にし得る。ドッキー１５２がそのようなエリアを出た後、ドッキー１５２は、ドッキングステーション１０２にもはやドッキングされていない可能性がある。ドッキングステーション１０２にもはやドッキングされないとき、ドッキー１５２は、バッテリの放電２２８をイネーブルする代替のモダリティを利用し得る。
【００４１】
[0050]  いくつかの構成において、モダリティは、ディスプレイ２５２の輝度調整（brightness adjustment）２３０に関係するドッキー１５２のコンポーネントの挙動に影響を与え得る。ディスプレイの輝度は、ドッキー１５２によって自動的に調整され得る。そのような輝度調整２３０は、様々な要因に基づいて行われ得る。いくつかの状況において、輝度調整２３０は、残りのバッテリ電力に基づいて行われ得る。例えば、ディスプレイ２５２の輝度は、残りのバッテリ電力が相対的に低いとき低減され得、ディスプレイ２５２の輝度は、残りのバッテリ電力が相対的に高いとき増加され得る。いくつかの状況において、ドッキー１５２は、ワイヤレス充電ステーションを提供するエリア（例えば、オフィスワークスペース）に移動され得る。そのようなエリアに入ると、ドッキー１５２は、ドッキングステーション１０２にドッキングし得る。ドッキングステーション１０２にドッキングされるとき、ドッキー１５２は、残りのバッテリ電力が相対的に低い場合でさえ、ワイヤレス充電ステーションの利用性のため、ディスプレイ２５２の輝度を増加するモダリティを利用し得る。そのようなモダリティは、ドッキー１５２が、より明るいディスプレイ２５２の改善されたユーザ経験（user experience）を提供することを可能にし得る。ドッキー１５２がそのようなエリアを出た後、ドッキー１５２は、ドッキングステーション１０２にもはやドッキングされていない可能性がある。ドッキングステーション１０２にもはやドッキングされないとき、ドッキー１５２は、上記に説明された例とは異なるモダリティを利用し得る。
【００４２】
[0051]  いくつかの構成において、モダリティは、プライバシーおよび／またはセキュリティに関係するドッキー１５２のコンポーネントの挙動に影響を与え得る。プライバシーおよび／またはセキュリティセッティングの限定されない例は、ディスプレイ２５２をロックする２３４ことおよび／またはアンロックする２３２ことである。ディスプレイ２５２がロックされる２３４とき、ユーザは、ドッキー１５２に記憶されたある特定の情報にアクセスすることができない可能性がある。ディスプレイ２５２がアンロックされる２３２とき、ユーザは、そのような情報へのアクセスを有し得る。ディスプレイ２５２をアンロックする２３２ための技法の限定されない例は、パスフレーズ、パスワード、または特定の数字コードを入れることである。いくつかの状況において、ドッキー１５２は、安全でないエリア（例えば、公道（public street））から安全なエリア（例えば、庁舎（government building）のアクセスが制限された部分の内部）に移動され得る。そのようなエリアに入ると、ドッキー１５２は、ドッキングステーション１０２にドッキングし得る。ドッキングステーション１０２にドッキングされるとき、ドッキー１５２は、ドッキー１５２のそうでなければロックされたディスプレイ（otherwise locked display）２５２を自動的にアンロックする２３２モダリティを利用し得る。そのようなモダリティは、ユーザが、ドッキー１５２のディスプレイ２５２を手動でアンロックする２３２必要なしにドッキー１５２に記憶された情報に簡単にアクセスすることを可能にし得、それによってプライバシーおよび／またはセキュリティを実質的に危険にさらすことなしにユーザ経験を改善する。ドッキー１５２がそのようなエリアを出た後、ドッキー１５２は、ドッキングステーション１０２にもはやドッキングされていない可能性がある。ドッキングステーション１０２にもはやドッキングされないとき、ドッキー１５２は、ドッキー１５２のディスプレイ２５２を自動的にロックする２３４代替のモダリティを利用し得る。
【００４３】
[0052]  いくつかの構成において、モダリティは、ロケーション決定（例えば、ジオロケーション（geolocation））に関係するドッキー１５２のコンポーネントの挙動に影響を与え得る。ロケーション決定の限定されない例は、全地球測位システム（ＧＰＳ：Global Positioning System）である。ＧＰＳは、ユーザに役立ち得るが、ＧＰＳは、かなりの量の電力（substantial amounts of power）を消費し得る。ある特定の状況の間、電力は、ＧＰＳをオフにすることによって節約され得る。いくつかの状況において、ドッキー１５２は、ロケーション決定が必要とされていないエリアに移動され得る。例えば、ドッキー１５２は、オフィスビルに移動され得る。オフィスビルにいる間、ドッキー１５２のユーザは、ナビゲーションを行っていることとならず、したがって、ＧＰＳの必要性を有さない可能性がある。そのようなエリアに入ると、ドッキー１５２は、ドッキングステーション１０２にドッキングし得る。ドッキングステーション１０２にドッキングされるとき、ドッキー１５２は、ＧＰＳを自動的にディセーブルする２３６モダリティを利用し得る。そのようなモダリティは、ドッキー１５２が、電力消費を節約することを可能にし得る。ドッキー１５２がそのようなエリアを出た後、ドッキー１５２のユーザは、ナビゲーションでの支援を必要とし得、したがって、ロケーション決定の必要性を有し得る。ドッキングステーション１０２にもはやドッキングされないとき、ドッキー１５２は、ＧＰＳを自動的にイネーブルする２３８代替のモダリティを利用し得る。
【００４４】
[0053]  いくつかの構成において、モダリティは、ドッキー１５２の触覚特性（haptic feature）に関係するドッキー１５２のコンポーネントの挙動に影響を与え得る。触覚特性の限定されない例は、振動（vibration）２４０である。振動２４０は、ある特定の状況の間、ドッキー１５２のユーザに役立ち得るが、振動２４０はまた、煩わしく（bothersome）もあり得る。いくつかの状況において、ドッキー１５２は、静かなエリア（例えば、図書館）に移動され得る。そのような静かなエリアにおいて、振動２４０は、他の（周囲の）ノイズと比べて相対的に大量のノイズ（high amount of noise）を生成し得、それによってドッキー１５２の近くに位置する他のものを潜在的に煩わす。そのようなエリアに入ると、ドッキー１５２は、ドッキングステーション１０２にドッキングし得る。ドッキングステーション１０２にドッキングされるとき、ドッキー１５２は、振動２４０を自動的にディセーブルするモダリティを利用し得る。ドッキー１５２がそのような静かなエリアを出た後、振動２４０によって生成されたノイズは、他の（周囲の）ノイズと比べて相対的に低くあり得、それによってドッキー１５２の近くに位置する他のものを煩わす可能性は低い。ドッキングステーション１０２にもはやドッキングされないとき、ドッキー１５２は、振動２４０を自動的にイネーブルする代替のモダリティを利用し得る。
【００４５】
[0054]  ドッキー１５２の１つ以上のコンポーネントのそれぞれの挙動、およびモダリティの様々な限定されない例が、図２に例示されているが、当業者は、ドッキー１５２の１つ以上のコンポーネントのそれぞれの挙動を持つ、様々な他のモダリティが、本開示の範囲から逸脱することなしにインプリメントされ得ることを理解するであろう。図２に例示されていないいくつかのさらなる例は：（１）ドッキー１５２のリンガ（ringer）のボリュームをミューティング（muting）すること、アンミューティング（un-muting）すること、および／または変更すること；（２）ドッキー１５２の内蔵式ディスプレイをオンにすること、および／またはオフにすること；（３）ユーザが定義したジャバスクリプト（JavaScript（登録商標））を動作させること；（４）特別なメッセージ（special message）を表示すること；（５）ドッキー１５２および／またはドッキングステーション１０２のロケーション（例えば、ホーム、職場）に基づいて特定のタイプのアプリケーション（例えば、エンターテインメントアプリケーション、生産性アプリケーション（productivity application））を自動的に立ち上げること；（６）ドッキー１５２および／またはドッキングステーション１０２のロケーション（例えば、ホーム、職場）に基づくユーザ選択のための特定のタイプのアプリケーション（例えば、エンターテインメントアプリケーション、生産性アプリケーション）の利用可能性；（７）ドッキー１５２の音声作動式のオペレーション（例えば、音声作動式の呼び出し（calling）、音声作動式の応答（answering））のイネーブルメントおよび／またはディセーブルメント；（８）ドッキー１５２の外部の（例えば、「内蔵式」でない）プロセッサへの処理オペレーションをオフローディングすること；および（９）ＷＬＡＮ（例えば、６０ＧＨｚ、２．４／５ＧＨｚ、サブ１ＧＨｚ（Ｓ１Ｇ））の１つ以上の無線装置をイネーブルすることおよび／またはディセーブルすることを含む。
【００４６】
[0055]  図３は、ドッキングステーション１０２にドッキングするドッキー１５２の例を例示する図３００である。いくつかの構成において、ドッキングステーション１０２は、ワイヤード接続および／またはワイヤレス接続を介して、１つ以上の周辺デバイス１６２、３６２に接続され得る。この例において、周辺デバイス１６２は、大きいディスプレイを含み、ならびに周辺デバイス３６２は、キーボードおよびマウスを含む。
【００４７】
[0056]  ワイヤレスドッキングシステムは、２つ以上のデバイスが、ワイヤも、ドッキングコネクタも、個人識別番号（ＰＩＮ：personal identification number）コードも、周辺機器ごとの精巧なペアリングプロセス（elaborate pairing process）も、他の類似の要素も必要とすることなしにともに接続することをイネーブルする、シームレスな接続性を提供し得る。ドッキングステーション１０２と関連付けられる周辺機器は、グループとして動作し得る。多くの異なるタイプの周辺機器は、レガシ周辺機器のブリッジングを含み、サポートされ得る。既存のアプリケーションセッション／接続は、手を付けない（intact）ままであり得る。
【００４８】
[0057]  ドッキングセッションを確立するために、ドッキングステーション１０２およびドッキー１５２は、様々なタイプの情報を各々受信および／または送信し得る。例えば、ドッキー１５２は、ドッキングステーション１０２にプローブ要求を送信し得る。プローブ要求に応答して、ドッキングステーション１０２は、応答メッセージを送信し得る。情報のそのような交換は、ドッキー１５２が、ドッキングステーション１０２を発見することを可能にし得る。ドッキー１５２およびドッキングステーション１０２はまた、様々な認証／アソシエーションの交換に従事し得る。ドッキー１５２およびドッキングステーション１０２はまた、ハンドシェイクプロシージャならびにチャネル確立プロセスに従事し得る。しかしながら、当業者は、上記の限定されない例に説明されたあらゆる特徴が必ずしも要求されるわけではないこと、ならびに代替のおよび／または追加の特徴が本開示の範囲から逸脱することなしにインプリメントされ得ることを理解するであろう。
【００４９】
[0058]  ドッキー１５２がドッキングステーション１０２にドッキングした後、ドッキングステーション１０２は、ドッキングステーション１０２にドッキングされるおよび／または接続される様々な装置へのおよび／または様々な装置からの情報を中継する中継局として機能し得る。例えば、図２に例示されている例を参照して、ドッキングステーション１０２は、周辺デバイス３６２のキーボードおよびマウスで受信されるユーザ入力をドッキー１５２に中継し得る。別の例として、ドッキングステーション１０２は、ドッキー１５２からの出力信号を周辺デバイス１６２の大きいディスプレイに中継し得る。図３に例示されている周辺デバイス１６２、３６２の例は、本開示の範囲を限定することを意図されていない。様々な他の周辺デバイスが存在し、本開示の範囲から逸脱することなしに使用され得る。
【００５０】
[0059]  いくつかの構成において、ドッキー１５２がドッキングステーション１０２にドッキングした後、ドッキングステーション１０２は、１つ以上の条件がドッキングセッションの間、満たされるかどうかを決定し得る。条件は、ドッキー１５２および／またはドッキングステーション１０２に関して提示するパラメータ、セッティング、状態、および／またはインジケータを指し得る。いくつかの構成において、条件は単純に、ドッキー１５２がドッキングステーション１０２にドッキングしていることの検出であり得る。いくつかの他の構成において、条件は、より複雑であり得る。そのような条件の様々な限定されない例は、本開示全体にわたって提供される。ドッキングステーション１０２が、条件が満たされることを決定するとき、ドッキングステーション１０２は、様々なデータをドッキー１５２に送信し得る。送信されたデータは、ドッキー１５２のモダリティを制御するように構成され得る。上記に、より詳細に説明されたように、ドッキー１５２のモダリティは、ドッキー１５２のコンポーネントのうちの１つ以上の挙動を含み得る。言い換えれば、ドッキングステーション１０２が、条件が満たされていることを決定した後、ドッキングステーション１０２は、データをドッキー１５２に送信し得、その送信されたデータは、ドッキー１５２のモダリティを制御するように構成され得、それは、本開示全体にわたってより詳細に説明されるように、ドッキー１５２の１つ以上のコンポーネントの挙動に影響を与え得る。
【００５１】
[0060]  いくつかの構成において、条件は、ドッキングセッションの間ドッキングステーション１０２と通信する周辺デバイス１６２、３６２への既定のユーザ入力を含む。例えば、図３を参照すると、ドッキングセッションの間、ユーザは、特定の一連の文字（letter）、数字（number）、および／または記号（character）を入力するためにディスプレイ周辺デバイス３６２のキーボードを利用し得る。前述の条件は、特定の一連の文字、数字、および／または字が既定の値に整合するとき満たされ得る。そのような構成において、条件は、特定の活動がドッキングセッションの間行われる（例えば、周辺デバイス１６２、３６２への特定のユーザ入力）とき満たされる。当業者は、代替の活動もまた、本開示の範囲から逸脱することなしに前述の条件を満たすために行われ得ることを理解するであろう。ドッキングステーション１０２が上述の条件が満たされていることを決定するとき、ドッキングステーション１０２は、様々な方法でドッキー１５２のモダリティを制御するためにデータを送信し得る。送信されたデータは、ドッキー１５２のモダリティを制御するように構成され得、それは、本開示全体にわたってより詳細に説明されるように、ドッキー１５２の１つ以上のコンポーネントの挙動に影響を与え得る。
【００５２】
[0061]  図４は、ミーティングルームにおいてドッキングステーション１０２にドッキングするドッキー１５２の例を例示する図４００である。図４に例示されている例において、ドッキー１５２は、ラップトップコンピュータである。ドッキングステーション１０２は、大きいディスプレイを含む周辺デバイス１６２にワイヤレス接続を介して接続される。ドッキー１５２がドッキングステーション１０２にドッキングした後、ドッキングステーション１０２は、ドッキングステーション１０２にドッキングされるおよび／または接続される様々な装置へのおよび／または様々な装置からの情報を中継する中継局として機能し得る。ドッキングステーション１０２は、ドッキー１５２からの出力信号を周辺デバイス１６２の大きいディスプレイに中継し得る。ドッキー１５２がドッキングステーション１０２にドッキングした後、ドッキングステーション１０２は、１つ以上の条件がドッキングセッションの間、満たされるかどうかを決定し得る。本明細書により詳細に説明されるように、条件は、ドッキー１５２および／またはドッキングステーション１０２に関して提示するパラメータ、セッティング、状態、および／またはインジケータを指し得る。条件は単純に、ドッキー１５２がドッキングステーション１０２にドッキングしていることの検出であり得、または条件は、本開示全体にわたって提供される条件の様々な限定されない例のうちの任意の１つ以上のように、より複雑であり得る。
【００５３】
[0062]  ドッキングステーション１０２が、条件が満たされることを決定するとき、ドッキングステーション１０２は、データをドッキー１５２に送信し得る。送信されたデータは、ドッキー１５２のモダリティを制御するように構成され得る。上記に、より詳細に説明されたように、ドッキー１５２のモダリティは、ドッキー１５２のコンポーネントのうちの１つ以上の挙動を含み得る。図４に例示されている特定の例において、送信されたデータは、ドッキー１５２上にディスプレイされる情報が周辺デバイス１６２の大きいデバイス上にミラーされる（mirrored）ようにドッキー１５２のモダリティを制御するように構成される。したがって、ドッキー１５２上にディスプレイされる情報の少なくとも一部はまた、図４に例示されているように、周辺デバイス１６２の大きいディスプレイ上でのディスプレイのためにドッキー１５２からエクスポートされる。
【００５４】
[0063]  図５は、ドッキングステーションＡ１０２およびドッキングステーションＢ５０２のような様々なドッキングステーションと通信するドッキー１５２の例を例示する図５００である。２つのドッキングステーションが図５に例示されているが、当業者は、２つ以上のドッキングステーションが本開示の範囲から逸脱することなしに含まれ得ることを理解するであろう。ドッキングステーション１０２、５０２は、特定の企業の別個のエリアに位置し得る。例えば、企業は、多くのビルを有するエンジニアリング施設（engineering facility）であり得る。ドッキングステーションＡ１０２は、エンジニアリング施設のビルＡ５１０に位置し、ドッキングステーションＢ５０２は、エンジニアリング施設のビルＢ５１２に位置し得る。
【００５５】
[0064]  ドッキー１５２がビルＡに位置する間、ドッキー１５２は、ドッキングステーションＡ１０２にドッキングされ得る。いくつかの構成において、ドッキー１５２は、一意の識別子と関連付けられ得る。そのような一意の識別子の限定されない例は、メディアアクセス制御（ＭＡＣ：Media Access Control）アドレスであり得る。サーバ（server）５０４は、各一意の識別子についてのモダリティプロファイルを記憶し得る。ドッキー１５２がドッキングステーションＡにドッキングするとき、ドッキングステーションＡ１０２は、サーバ５０２がドッキー１５２の一意の識別子についてのモダリティプロファイルを有するかどうかを決定し得る。サーバ５０２がドッキー１５２の一意の識別子についてのモダリティプロファイルを有する場合、ドッキングステーションＡ１０２は、データをドッキー１５２に送信し得、そのような送信されたデータは、そのモダリティプロファイルにしたがってドッキー１５２のモダリティを制御するように構成され得る。例えば、ドッキー１５２の一意の識別子についてのモダリティプロファイルは、ドッキー１５２のカメラコンポーネントをオフにすることを含み得る。そのようなモダリティは、様々な安全性の理由（security reason）を提供し得る。したがって、ドッキー１５２がドッキングステーションＡ１０２にドッキングされる間、ドッキー１５２のカメラコンポーネントは、オフにされる。
【００５６】
[0065]  経時的に、ドッキー１５２は、ビルＡ５１０からビルＢ５１２に（例えば、そのユーザによって）移動され得る５０８。ビルＢ５１２に位置する間、ドッキー１５２は、ドッキングステーションＡ１０２の通信範囲の外であり得、それゆえに、ドッキングステーションＡ１０２にドッキングすることができない。しかしながら、ビルＢ５１２に位置する間、ドッキー１５２は、ドッキングステーションＢ５０２にドッキングすることができ得る。ドッキー１５２がドッキングステーションＢ５０２にドッキングするとき、ドッキングステーションＢ５０２は、サーバ５０２がドッキー１５２の一意の識別子についてのモダリティプロファイルを有するかどうかを決定し得る。ドッキー１５２の一意の識別子は、ビルＡ５１０からビルＢ５１２に移動することの結果として変化しない。サーバ５０２がドッキー１５２の一意の識別子についてのモダリティプロファイルを有するため、ドッキングステーションＢ５０２は、データをドッキー１５２に送信し得、そのような送信されたデータは、そのモダリティプロファイルにしたがってドッキー１５２のモダリティを制御するように構成され得る。ドッキー１５２がロケーションをビルＡ５１０からビルＢ５１２へ変更しているにも関わらず、モダリティプロファイルは、変化しない。したがって、ドッキー１５２のモダリティは、ドッキー１５２が１つのロケーションから別のロケーションへ動くとき、同じままでいることができる。そのようなものとして、ドッキー１５２がドッキングステーションＢ５０２にドッキングされる間、ドッキー１５２が１つのドッキングステーション（例えば、ドッキングステーションＡ１０２）から別のドッキングステーション（例えば、ドッキングステーションＢ）にドッキングしているにも関わらず、ドッキー１５２のカメラコンポーネントは、オフにされたままである。
【００５７】
[0066]  上記に説明されたように、ドッキングステーションは、ドッキー１５２の一意の識別子がドッキングステーションにアクセス可能であるモダリティプロファイルに整合するかどうかを決定することによって、条件が満たされるかどうかを決定し得る。モダリティプロファイルは、様々な方法でドッキングステーションにアクセス可能であり得る。例えば、モダリティプロファイルは、上記に説明されたように、サーバ５０４上に記憶され得る。別の例として、モダリティプロファイルは、ドッキングステーションのメモリに記憶され得る。当業者は、モダリティプロファイルが本開示の範囲から逸脱することなしに様々な他の方法を使用してドッキングステーションにアクセス可能にされ得ることを理解するであろう。
【００５８】
[0067]  図６は、企業環境において様々なドッキングステーション１０２、５０２と通信するドッキー１５２の例を例示する図６００である。企業環境の限定されない例は、上記にさらに詳細に説明されたように、エンジニアリング施設である。ドッキングステーションＡ１０２は、エンジニアリング施設のビルＡ５１０に位置し、ドッキングステーションＢ５０２は、エンジニアリング施設のビルＢ５１２に位置し得る。ドッキー１５２がビルＡに位置する間、ドッキー１５２は、ドッキングステーションＡ１０２にドッキングされ得る。サーバ５０４（図５を参照）は、ローカルに（例えば、エンジニアリンク施設のどこかに）または遠くに（例えば、エンジニアリンク施設の外のどこかに）位置し得る。サーバ５０２がドッキー１５２の一意の識別子についてのモダリティプロファイルを有する場合、ドッキングステーションＡ１０２は、データをドッキー１５２に送信し得、そのような送信されたデータは、そのモダリティプロファイルにしたがってドッキー１５２のモダリティを制御するように構成され得る。上記に説明されたように、ドッキー１５２の一意の識別子についてのモダリティプロファイルは、ドッキー１５２のカメラコンポーネントをオフにすることを含み得る。
【００５９】
[0068]  ドッキー１５２のユーザは、ドッキー１５２をビルＡ５１０からビルＢ５１２に動かし得る。ドッキー１５２がドッキングステーションＢ５０２にドッキングするとき、ドッキングステーションＢ５０２は、サーバ５０２がドッキー１５２の一意の識別子についてのモダリティプロファイルを有するかどうかを決定し得る。ドッキー１５２の一意の識別子は、ビルＡ５１０からビルＢ５１２に動くことの結果として変化しない。サーバ５０２がドッキー１５２の一意の識別子についてのモダリティプロファイルを有するため、ドッキングステーションＢ５０２は、データをドッキー１５２に送信し得、そのような送信されたデータは、そのモダリティプロファイルにしたがってドッキー１５２のモダリティを制御するように構成され得る。ドッキー１５２がロケーションをビルＡ５１０からビルＢ５１２へ変更しているにも関わらず、モダリティプロファイルは、変化しない。したがって、ドッキー１５２のモダリティは、ドッキー１５２が１つのロケーション（例えば、ビルＡ５１０）から別のロケーション（例えば、ビルＢ５１２）へ移動するとき、同じままであり得る。
【００６０】
[0069]  図７は、様々な環境と関連付けられるドッキングステーションにドッキングするドッキー１５２の例を例示する図７００である。いくつかの構成において、２つ以上のドッキングステーションは、互いに関連して異なる環境と関連付けられ得る。環境は、ジオロケーション、アドレス、またはセッティングであり得る。図７に例示されている限定されない例において、ドッキングステーションＡ１０２は、職場環境（work environment）７１０と関連付けられ、ドッキングステーションＢ５０２は、ホーム環境７１２と関連付けられる。各ドッキングステーション１０２、５０２は、様々な要因に基づいて環境とのそれの関連付けを決定し得る。例えば、ドッキングステーションＡ１０２は、それがＭＡＣアドレス、インターネットプロトコル（ＩＰ）アドレス、またはドッキングステーションＡ１０２にアクセス可能である任意の他の適切な識別子に基づいて職場環境７１０と関連付けられることを決定し得る。同様に、ドッキングステーションＢ５０２は、それがＭＡＣアドレス、ＩＰアドレス、またはドッキングステーションＢ５０２にアクセス可能である任意の他の適切な識別子に基づいて職場環境７１２と関連付けられることを決定し得る。
【００６１】
[0070]  いくつかの構成において、ドッキングステーション１０２、５０２は、ドッキングステーション１０２、５０２が関連付けられる環境に対応するセッティングにしたがってドッキー１５２のモダリティを制御するように構成されるデータを送信し得る。ドッキー１５２がドッキングステーションＡ１０２にドッキングされるとき、ドッキングステーションＡ１０２は、職場環境７１０に対応するセッティングにしたがってドッキー１５２のモダリティを制御するためにデータをドッキー１５２に送信し得る。例えば、職場環境７１０に対応するセッティングは、ドッキー１５２よって受信される特定のタイプのメッセージ７０２（例えば、私的なテキストメッセージ）が周辺デバイス１６２上にミラーされることができないことを特定し得る。言い換えれば、ドッキングステーションＡ１０２は、ドッキングステーションＡ１０２のロケーション（例えば、職場環境７１０）と関連付けられるセッティングに基づいてドッキー１５２からのそのようなデータを周辺デバイス１６２にルーティングすることを控えることができる。そのようなモダリティは、ドッキー１５２のユーザにプライバシーを提供し得る。したがって、その特定のタイプのメッセージ７０２（例えば、私的なテキストメッセージ）は、ドッキー１５２が職場環境７１０と関連付けられるドッキングステーション（例えば、ドッキングステーションＡ１０２）にドッキングされるとき周辺デバイス１６２上にディスプレイされることとならない。
【００６２】
[0071]  図４は、そのような概念の限定されない例を例示する。図４に例示されているように、メッセージ７０２（例えば、私的なテキストメッセージ）は、ドッキー１５２によって受信される。ドッキー１５２は、ドッキングステーション１０２にドッキングされる。ドッキングステーション１０２は、ミーティングルームに存在し、それは、職場環境７１０のタイプである。したがって、メッセージ７０２（例えば、私的なテキストメッセージ）は、ドッキングステーション１０２が職場環境７１０と関連付けられるためミーティングの間周辺デバイス１６２上にディスプレイされない。
【００６３】
[0072]  図７を参照すると、ドッキー１５２のユーザは、ドッキー１５２を職場環境７１０からホーム環境７１２に移動し得る７１４。ドッキー１５２がドッキングステーションＢ５０２にドッキングされるとき、ドッキングステーションＢ５０２は、ホーム環境７１２に対応するセッティングにしたがってドッキー１５２のモダリティを制御するためにデータをドッキー１５２に送信し得る。例えば、ホーム環境７１２に対応するセッティングは、ドッキー１５２よって受信される特定のタイプのメッセージ７０２（例えば、私的なテキストメッセージ）が周辺デバイス７６２上にミラーされることができることを特定し得る。ドッキー１５２のユーザがその人のホーム環境７１２に位置するため、ドッキー１５２のユーザは、周辺デバイス７６２上でその特定のタイプのメッセージ７０２（例えば、私的なテキストメッセージ）を見ることを享受し得る。したがって、その特定のタイプのメッセージ７０２（例えば、私的なテキストメッセージ）は、ドッキー１５２がホーム環境７１２と関連付けられるドッキングステーション（例えば、ドッキングステーションＢ５０２）にドッキングされるとき周辺デバイス７６２上に表示されることができる。言い換えれば、ドッキングステーションＢ５０２は、ドッキングステーションＢ５０２のロケーション（例えば、ホーム環境７１２）と関連付けられるセッティングに基づいてドッキー１５２からのそのようなデータを周辺デバイス７６２にルーティングする。
【００６４】
[0073]  図８は、ホーム環境７１２と関連付けられるドッキングステーション５０２にドッキングするドッキー１５２の例を例示する図８００である。図８に例示されているように、メッセージ７０２（例えば、私的なテキストメッセージ）は、ドッキー１５２によって受信される。ドッキー１５２は、ドッキングステーション５０２にドッキングされる。ドッキングステーション５０２は、ファミリー／リビングルームに存在し、それは、ホーム環境７１２のタイプである。したがって、メッセージ７０２（例えば、私的なテキストメッセージ）は、ドッキングステーション５０２がホーム環境７１２と関連付けられるためファミリー／リビングルームの周辺デバイス７６２上に表示される。
【００６５】
[0074]  図９は、ドッキングステーション１０２にドッキングする様々なドッキー１５２、９０２、９０４、９０６の例を例示する図である。いくつかの状況において、ドッキー１５２、９０２、９０４、９０６は、互いに通信することを必要とし得る。既存のシステムにおいて、ドッキー１５２、９０２、９０４、９０６は、互いの間での直接接続（ワイヤードまたはワイヤレス）を介して互いに通信し得る。例えば、ドッキー１５２は、ドッキー９０２とのワイヤレス通信のためのチャネルを確立し得る。そのような接続は、「１ホップ（one-hop）」通信と称され得る。しかしながら、直接にドッキー１５２、９０２、９０４、９０６間での通信は、様々な制限を有し得る。
【００６６】
[0075]  そのような制限は、ドッキー１５２、９０２、９０４、９０６がドッキングステーション１０２を介する接続を使用して互いに通信する場合、克服され得る。例えば、ドッキー１５２は、ドッキングステーション１０２を介してドッキー９０２と通信し得る。そのような接続は、「２ホップ」通信と称され得る。１ホップ通信は、必ずしも２ホップ通信より速いとは限らない。そのようなものとして、ドッキングステーション１０２が、（ドッキングステーション１０２を使用することのない）個々のドッキー１５２、９０２、９０４、９０６間の直接通信より速い、ドッキー１５２、９０２、９０４、９０６間での通信を容易にするために使用され得る状況が存在する。したがって、いくつかの構成において、ドッキングステーション１０２は、条件が存在するかどうかを決定し得、そしてそのような条件は、２つ以上のドッキー１５２、９０２、９０４、９０６がドッキングステーション１０２にドッキングされるかどうかであり得る。２つ以上のドッキー１５２、９０２、９０４、９０６がドッキングステーション１０２にドッキングされるとき、ドッキングステーション１０２は、（１つまたは複数の）ドッキー１５２、９０２、９０４、９０６がドッキングステーション１０２を介して排他的に互いに通信するように（１つまたは複数の）ドッキー１５２、９０２、９０４、９０６のモダリティを制御するように構成されるデータを送信し得る。
【００６７】
[0076]  いくつかの構成において、ドッキングステーション１０２は、様々な他の条件が存在するかどうかを決定し得る。例えば、ドッキングステーション１０２は、ドッキングステーション１０２にドッキングされるドッキー１５２、９０２、９０４、９０６の数がドッキー１５２、９０２、９０４、９０６のしきい値数以上であるかどうかを決定し得る。ドッキングステーション１０２にドッキングされているドッキー１５２、９０２、９０４、９０６の数は、価値のある情報（valuable information）をドッキングステーション１０２に提供する。ドッキングステーション１０２にドッキングされるドッキー１５２、９０２、９０４、９０６の数を知ることによって、ドッキングステーション１０２は、ドッキングステーション１０２と関連付けられるドッキー１５２、９０２、９０４、９０６および／または周辺デバイス１６２、７６２をよりよく制御することができ得る。限定されない例として、ドッキングステーション１０２は、温度、湿度、品質および／または大気の様々な他のパラメータを調節するために暖房、換気および空調（ＨＶＡＣ：heating, ventilation and air-conditioning）システムを使用する密閉された劇場（enclosed theater）に位置し得る。ドッキングステーション１０２は、ＨＶＡＣシステムと通信する能力があり得る。（いくつかの構成において、ＨＶＡＣシステムは、周辺機器１６２および／またはドッキーでさえも考慮され得る。）劇場に入る各人は、劇場に入るとドッキングステーション１０２にドッキングするドッキー１５２、９０２、９０４、９０６を有し得る。ドッキングステーション１０２にドッキングされるドッキー１５２、９０２、９０４、９０６の数を知ることによって、ドッキングステーション１０２は、劇場における人々の数、およびそれに応じて、ＨＶＡＣシステムによる加熱／冷却の増大／低減についての対応する必要性についての価値のある情報をＨＶＡＣシステムに通信することができ得る。
【００６８】
[0077]  図１０は、様々な方法および／またはプロセスの例を例示する図１０００である。そのような方法および／またはプロセスは、ドッキングステーション１０２、５０２によって、あるいは説明された機能を実行するための任意の他の適切な装置または手段によって行われ得る。ブロック１００２では、ドッキングステーション１０２、５０２は、条件がドッキー１５２、９０２、９０４、９０６とのドッキングセッションの間、満たされるかどうかを決定し得る。様々な条件の様々な限定されない例は、上記に詳細に説明され、それゆえに繰り返されない。ドッキングステーション１０２、５０２が、条件が満たされないことを決定する場合、ドッキングステーション１０２、５０２は、ブロック１００２における前述の決定を行い続け得る。しかしながら、ドッキングステーション１０２、５０２が、条件が満たされることを決定する場合、ブロック１００４では、ドッキングステーション１０２、５０２は、データをドッキー１５２、９０２、９０４、９０６に送信し得る。データは、ドッキー１５２、９０２、９０４、９０６のモダリティを制御するように構成され得る。ドッキー１５２、９０２、９０４、９０６のモダリティは、ドッキー１５２、９０２、９０４、９０６のコンポーネントの挙動を含み得る。ドッキー１５２、９０２、９０４、９０６のそのようなコンポーネントのモダリティおよび挙動の様々な限定されない例は、上記に詳細に説明され、それゆえに繰り返されない。
【００６９】
[0078]  いくつかの構成において、ブロック１００６では、ドッキングステーション１０２、５０２は、ドッキングステーション１０２、５０２のロケーションと関連付けられるセッティングに基づいてドッキーからのデータを周辺デバイス１６２、７６２にルーティングし得る。例えば、図７を参照すると、ドッキングステーションＢ５０２は、ドッキングステーションＢ５０２のロケーション（例えば、ホーム環境７１２）と関連付けられるセッティングに基づいてドッキー１５２からのデータを周辺デバイス７６２にルーティングし得る。
【００７０】
[0079]  図１０に関して説明された方法および／またはプロセスは、例示的な目的のために提示され、本開示の範囲を限定するようには意図されない。図１０に関して説明された方法および／またはプロセスは、本開示の範囲から逸脱することなしに本明細書に例示されたものとは異なる順序で行われ得る。さらに、図１０に関して説明された方法および／またはプロセスのうちのいくつかまたはすべては、本開示の範囲から逸脱することなしに個々におよび／または合わせて行われ得る。開示された方法におけるステップの特定の順序または階層は、例示的なプロセスの例示であることが理解されるべきである。設計の選好（design preferences）に基づいて、方法におけるステップの特定の順序または階層は並べ替えられ得ることが理解される。添付の方法の請求項は、サンプルの順序で様々なステップの要素を提示し、そこに明確に記載されていない限り、提示された特定の順序または階層に限定されるように意図されない。
【００７１】
[0080]  先の説明は、いかなる当業者であっても、本明細書に説明された様々な態様を実現することを可能にするために提供されている。これらの態様への様々な修正は、当業者に容易に明らかとなり、本明細書に定義された一般的な原理は、他の態様に適用され得る。よって、特許請求の範囲は、本明細書に示された態様に限定されることを意図されず、特許請求の範囲のことばと合致する完全な範囲が与えられるべきであるが、ここで、単数形の要素への参照は、そのように明記されない限り、「１つおよび１つだけ（one and only one）」ではなく、むしろ「１つ以上（one or more）」を意味するように意図される。そうではないと明記されていない限り、「いくつかの」という用語は、１つ以上を指す。項目のリスト「のうちの少なくとも１つ」に関する表現は、単一のメンバを含む、それらの項目のうちの任意の組み合わせを指す。例として、「ａ、ｂ、またはｃ：のうちの少なくとも１つ」は：ａ；ｂ；ｃ；ａおよびｂ；ａおよびｃ；ｂおよびｃ；ならびにａ、ｂおよびｃをカバーするように意図されている。当業者に既知の、または後に既知となる、本開示全体にわたって説明された様々な態様の要素と構造的および機能的に同等な物はすべて、参照によって本明細書に明確に組み込まれ、特許請求の範囲に包含されるよう意図される。さらに、本明細書に開示されたものはいずれも、特許請求の範囲において明示的に記載されているかどうかにかかわらず、公共に捧げられるように意図されていない。要素が、「〜するための手段」という表現を使用して明確に記載されていない限り、または方法の請求項の場合、要素が、「〜するためのステップ」という表現を使用して記載されていない限り、請求項のいずれの要素も３５Ｕ．Ｓ．Ｃ．§１１２（ｆ）の規定の下に解釈されるべきではない。
【図１】
2018500832.tif 000003
【図２】
2018500832.tif 000004
【図３】
2018500832.tif 000005
【図４】
2018500832.tif 000006
【図５】
2018500832.tif 000007
【図６】
2018500832.tif 000008
【図７】
2018500832.tif 000009
【図８】
2018500832.tif 000010
【図９】
2018500832.tif 000011
【図１０】
2018500832.tif 000012
【国際調査報告】
2018500832.tif 000013
2018500832.tif 000014